(57)【特許請求の範囲】
【請求項１】
プラグボディの先端面から突出した一対の電源用栓刃と、前記先端面から突出して前記電源用栓刃よりも所定距離だけ突出した接地用栓刃とを有するプラグが接続されるコンセントであって、
前記一対の電源用栓刃をそれぞれ保持する一対の電源用刃受部と、
前記接地用栓刃を保持する接地用刃受部と、を有し、
前記各電源用刃受部は、前記電源用栓刃を弾性力で保持して導通する電源保持部と、前記電源保持部よりも前記電源用栓刃及び前記接地用栓刃の挿入方向の上流側に設けられ、前記電源用栓刃と接触する電源接触部とを有し、
前記接地用刃受部は、前記接地用栓刃を弾性力で保持して導通する接地保持部と、前記接地保持部よりも前記挿入方向の上流側に設けられ、前記接地用栓刃と接触する接地接触部とを有し、
前記接地接触部は、前記電源接触部から前記挿入方向の下流側に前記所定距離未満だけ離間した位置よりも、前記挿入方向の上流側の位置に設けられ、
前記接地保持部は、前記電源保持部から前記挿入方向の下流側に前記所定距離以上離間した位置に設けられていることを特徴とするコンセント。
【請求項２】
請求項１に記載のコンセントにおいて、
前記接地用刃受部は、互いに対向して前記接地用栓刃を挟持する第１接地片及び第２接地片と、前記第１接地片の基端部と前記第２接地片の基端部とを連結する連結部とを有し、
前記第１接地片は、前記連結部に接続された第１基部と、前記第１基部から前記第２接地片に向かって屈曲する第１屈曲部と、前記第１屈曲部から前記第２接地片と離間する方向に向かって屈曲する前記接地接触部と、を有し、
前記第２接地片は、前記連結部に接続された第２基部と、前記第２基部から前記第１接地片に向かって屈曲する第２屈曲部と、前記第２屈曲部から前記第１接地片と離間する方向に向かって屈曲する案内部と、を有し、
前記第２屈曲部と前記案内部との接続部と、該接続部と対向する前記第１屈曲部とが前記接地保持部であり、
前記接地保持部は、前記第１屈曲部と前記接地接触部との接続部から前記挿入方向の下流側に前記所定距離以上離間した位置に設けられていることを特徴とするコンセント。
【請求項３】
請求項２に記載のコンセントにおいて、
前記第２接地片の全長は、前記第１接地片の全長よりも前記所定距離以上短いことを特徴とするコンセント。
【請求項４】
請求項３に記載のコンセントにおいて、
前記第２接地片の基端部から前記第２屈曲部の先端部までの前記第１接地片に向かう第１突出量は、前記第１接地片の基端部から前記第１接地片における前記接地保持部までの前記第２接地片に向かう第２突出量よりも小さいことを特徴とするコンセント。
【請求項５】
請求項４に記載のコンセントにおいて、
前記第１接地片から前記接地用栓刃に作用する接触圧と前記第２接地片から前記接地用栓刃に作用する接触圧とが等しくなるように、前記第１突出量が前記第２突出量よりも小さく設定されていることを特徴とするコンセント。
【請求項６】
請求項５に記載のコンセントにおいて、
前記第１突出量は、前記第２接地片の基端部から前記接続部までの前記第１接地片に向かう突出量に対応し、
前記第２突出量は、前記第１接地片の基端部から前記第１屈曲部までの前記第２接地片に向かう突出量に対応することを特徴とするコンセント。
【請求項７】
請求項３〜６のいずれか一項に記載のコンセントにおいて、
前記挿入方向に沿って延びる線に対する前記案内部の開き角度は、前記線に対する前記接地接触部の開き角度と同一の角度であることを特徴とするコンセント。
【請求項８】
請求項２に記載のコンセントにおいて、
前記第２接地片の全長は、前記第１接地片の全長と同一であり、
前記挿入方向に沿って延びる線に対する前記案内部の開き角度は、前記線に対する前記接地接触部の開き角度よりも小さいことを特徴とするコンセント。
【請求項９】
請求項２〜７のいずれか一項に記載のコンセントにおいて、
前記接地用刃受部が収納される収納室が形成されたコンセント本体を有し、
前記収納室には、前記案内部と前記接地接触部との間に挿通し、前記案内部の一部及び前記接地接触部の一部に当接して、前記接地用栓刃の挿入軸に対する前記接地接触部の離間距離が、前記挿入軸に対する前記案内部の離間距離よりも短くなるように調整するリブが形成されていることを特徴とするコンセント。
【請求項１０】
請求項１〜９のいずれか一項に記載のコンセントにおいて、
前記プラグボディの先端部が挿入可能な凹部が下面に形成されたコンセント本体を有し、
前記凹部の内壁と前記コンセント本体の下面との角部が面取りされていることを特徴とするコンセント。
【請求項１１】
請求項１〜９のいずれか一項に記載のコンセントにおいて、
前記プラグボディの先端部を挿入可能な凹部を有し、
前記凹部は、前記プラグボディの先端面と対向する底面、および、前記電源用栓刃を挿入できるように前記底面に開口する電源用挿入孔を含み、
前記電源接触部と前記底面に開口する前記電源用挿入孔との距離は、前記電源用挿入孔に挿入される前記電源用栓刃が前記電源接触部にはじめに接触するように決められていることを特徴とするコンセント。
【発明の詳細な説明】
【技術分野】
【０００１】
本発明は、コンセントに関するものである。
【背景技術】
【０００２】
従来、コンセントとしては、プラグの栓刃をコンセントに設けられた刃受で挟持することにより、プラグと電気的に導通してプラグに電力を供給する構造が知られている（例えば、特許文献１，２参照）。
【０００３】
図１４は、従来の刃受構造を有するコンセントＡ２とプラグＢ２とを示している。
図１４（ａ）に示すように、プラグＢ２は、使用者がプラグＢ２を把持するためのプラグボディ２００と、プラグボディ２００の先端面２００Ａから前方に突出する一対の電源用栓刃２０１（図１４では、片側のみを図示）及び接地用栓刃２０３とを有している。接地用栓刃２０３は、電源用栓刃２０１よりも前方に突出している。
【０００４】
コンセントＡ２は、プラグＢ２の先端部が挿入される凹部３０１が形成されたコンセント本体３００を有している。凹部３０１の底面３０１Ａには、電源用栓刃２０１が挿脱可能に挿入される電源用挿入孔３０２と、接地用栓刃２０３が挿脱可能に挿入される接地用挿入孔３０３とが設けられている。
【０００５】
図１４（ｂ）に示すように、コンセント本体３００内部には、電源用挿入孔３０２を通じてコンセント本体３００内に挿入される電源用栓刃２０１を挟持して保持する導電性の一対の板ばね３０５を有する電源用刃受部３０４が収納されている。また、コンセント本体３００内部には、接地用挿入孔３０３を通じてコンセント本体３００内に挿入される接地用栓刃２０３を挟持して保持する導電性の一対の板ばね３０７を有する接地用刃受部３０６が収納されている。
【０００６】
このようなコンセントＡ２にプラグＢ２が挿入されると、まず、感電防止のために、電源用栓刃２０１よりも前方に突出された接地用栓刃２０３が接地用刃受部３０６に接触される。続いて、接地用栓刃２０３が接地用刃受部３０６で保持され、次いで、電源用栓刃２０１が電源用刃受部３０４で保持される。
【先行技術文献】
【特許文献】
【０００７】
【特許文献１】特開２０１１−１９８７４５号公報
【特許文献２】特開２０１１−１９８７５１号公報
【発明の概要】
【発明が解決しようとする課題】
【０００８】
ところで、従来のコンセントＡ２では、接地用栓刃２０３が接地用刃受部３０６に保持された後に、電源用栓刃２０１と電源用刃受部３０４とが接触面積が小さい状態で接触（点接触）する場合がある。このような点接触した状態でプラグＢ２がコンセントＡ２に保持されてしまうと、電源用栓刃２０１と電源用刃受部３０４との間の接触抵抗が増大して高熱が発生するという問題がある。
【０００９】
本発明は、上記課題を解決するためになされたものであって、その目的は、プラグとの間で高熱が発生することを抑制することができるコンセントを提供することにある。
【課題を解決するための手段】
【００１０】
上記課題を解決するために、プラグボディの先端面から突出した一対の電源用栓刃と、前記先端面から突出して前記電源用栓刃よりも所定距離だけ突出した接地用栓刃とを有するプラグが接続されるコンセントであって、前記一対の電源用栓刃をそれぞれ保持する一対の電源用刃受部と、前記接地用栓刃を保持する接地用刃受部と、を有し、前記各電源用刃受部は、前記電源用栓刃を弾性力で保持して導通する電源保持部と、前記電源保持部よりも前記電源用栓刃及び前記接地用栓刃の挿入方向の上流側に設けられ、前記電源用栓刃と接触する電源接触部とを有し、前記接地用刃受部は、前記接地用栓刃を弾性力で保持して導通する接地保持部と、前記接地保持部よりも前記挿入方向の上流側に設けられ、前記接地用栓刃と接触する接地接触部とを有し、前記接地接触部は、前記電源接触部から前記挿入方向の下流側に前記所定距離未満だけ離間した位置よりも、前記挿入方向の上流側の位置に設けられ、
前記接地保持部は、前記電源保持部から前記挿入方向の下流側に前記所定距離以上離間した位置に設けられていることを特徴とする。
【発明の効果】
【００１１】
本発明のコンセントによれば、プラグとの間で高熱が発生することを抑制することができる。
【図面の簡単な説明】
【００１２】
【図１】（ａ）は、一実施形態のプラグ及びコンセントの縦断面図、（ｂ）は、（ａ）に示したコンセントの一部を拡大した拡大断面図である。
【図２】一実施形態のコンセントの分解斜視図である。
【図３】一実施形態のコンセントブロックの分解斜視図である。
【図４】（ａ）は、一実施形態の受口カバーを下方から見た構造を示す平面図、（ｂ）は、一実施形態の受口カバーを上方から見た構造を示す平面図である。
【図５】一実施形態のコンセントブロックを平面上に展開して示す展開図である。
【図６】一実施形態の接地用刃受部を示す斜視図である。
【図７】一実施形態のコンセントブロックを示す断面図である。
【図８】一実施形態のコンセントを示す断面図である。
【図９】（ａ）は、一実施形態のプラグを下方から見た斜視図、（ｂ）は、一実施形態のプラグを下方から見た構造を示す平面図である。
【図１０】（ａ）〜（ｃ）は、コンセントへプラグを挿入するときの動作を示す模式図である。
【図１１】（ａ）〜（ｄ）は、コンセントへプラグを挿入するときの動作を示す模式図である。
【図１２】コンセントへプラグを挿入するときの動作を示す模式図である。
【図１３】変形例の接地用刃受部を示す断面図である。
【図１４】（ａ）は、従来のプラグ及びコンセントを示す模式図、（ｂ）は、従来のコンセントを平面上に展開して示す展開図である。
【発明を実施するための形態】
【００１３】
以下、コンセントの一実施形態を図面に従って説明する。
図１（ａ）に示すように、コンセントＡ１には、プラグＢ１が挿入される。コンセントＡ１は、例えば、家屋の屋外の壁面に設けられる。図１（ａ）及び図１（ｂ）は、プラグＢ１をコンセントＡ１の中途まで差し込んだ状態を示している。
【００１４】
まず、図９を参照して、コンセントＡ１に挿入されるプラグＢ１の構造について説明する。なお、図９の説明において、「前後方向」、「左右方向」及び「上下方向」をいう場合は、特に説明がない限り、矢印で示す「前後方向Ｘ」、「左右方向Ｙ」、「上下方向Ｚ」をいうものとする。
【００１５】
図９（ａ）に示すように、プラグＢ１は、使用者がプラグＢ１を把持するための略円筒形状のプラグボディ２００を有している。プラグＢ１は、プラグボディ２００の先端面２００Ａから前方に突出する一対の電源用栓刃２０１，２０２と、先端面２００Ａから前方に突出して電源用栓刃２０１，２０２よりも前方に突出する接地用栓刃２０３とを有している。プラグボディ２００の後方には、電源用栓刃２０１，２０２及び接地用栓刃２０３が受けた電力を機器（図示略）に供給するためのケーブル２０４が設けられている。プラグボディ２００は、樹脂材料を射出成形することにより成形されている。
【００１６】
一対の電源用栓刃２０１，２０２は、左右方向Ｙに隣接して配列されている。接地用栓刃２０３は、一対の電源用栓刃２０１，２０２の左右方向Ｙの間、且つ、電源用栓刃２０１，２０２よりも下方に配置されている。電源用栓刃２０１は、前後方向Ｘの平面視において左右方向Ｙが長手の略長方形状に形成された本体部２０１ａと、先端の角部が面取りされた先端部２０１ｂとを有している。電源用栓刃２０２は、前後方向Ｘの平面視においてＬ字状に形成された本体部２０２ａと、先端の角部が面取りされた先端部２０２ｂとを有している。接地用栓刃２０３は、丸ピン形状に形成されている。接地用栓刃２０３は、円柱状に形成された本体部２０３ａと、略半球状に形成された先端部２０３ｂとを有している。
【００１７】
図９（ｂ）に示すように、先端面２００Ａからの接地用栓刃２０３の突出量は、先端面２００Ａからの電源用栓刃２０１，２０２の突出量よりも距離Ｌ１だけ大きい。ここで、本実施形態では、接地用栓刃２０３の先端部２０３ｂは、電源用栓刃２０１，２０２の先端部２０１ｂ，２０２ｂと同一の長さに設定されている。このため、接地用栓刃２０３の本体部２０３ａの先端は、電源用栓刃２０１，２０２の本体部２０１ａ，２０２ａの先端から距離Ｌ１だけ前方に突出している。
【００１８】
図９（ａ）に示すように、プラグボディ２００には、前後方向Ｘの中央部の両側面に使用者の指が係る平面形状の把持部２０５と、プラグボディ２００の下部に下方に向かって突出する突起部２０６とが設けられている。
【００１９】
次に、図１〜図８を参照して、コンセントＡ１の構造について説明する。
図１に示すように、コンセントＡ１は、電源用栓刃２０１，２０２及び接地用栓刃２０３が挿入される差込口２６（図３参照）が設けられたコンセント本体１０と、コンセント本体１０に設けられ、差込口２６の開閉動作を行う扉開閉機構１１とを有している。
【００２０】
以下の説明では、コンセントＡ１が設けられる壁面の表側及び裏側を規定する方向を「前後方向Ｘ」とし、鉛直方向に沿う方向を「上下方向Ｚ」とし、前後方向Ｘ及び上下方向Ｚの両方に直交する方向を「左右方向Ｙ」とする。また、前後方向Ｘにおいて、壁面の表側からコンセントＡ１に向かう方向を「前方」とし、壁面の裏側に向かう方向を「後方」とする。なお、図１〜図８における「前後方向Ｘ」、「左右方向Ｙ」、「上下方向Ｚ」は、図９における「前後方向Ｘ」、「左右方向Ｙ」、「上下方向Ｚ」とは別の方向である。
【００２１】
まず、コンセント本体１０の構造について説明する。
コンセント本体１０は、コンセントブロック２０と、ボディ７０と、防水パッキン（パッキン）８０と、取付枠９０と、化粧カバー１００とを有している。
【００２２】
コンセントブロック２０は、電線（図示略）及びプラグＢ１が接続されると、電線からの電力をプラグＢ１に供給する。ボディ７０は、矩形状の枠体である本体部７１と、本体部７１から前方に向かって突出する保持部７２とを有している。保持部７２には、コンセントブロック２０が収容されるとともに保持されている。
【００２３】
パッキン８０は、壁面とボディ７０との間であって、ボディ７０の後方に配置されている。パッキン８０は、矩形状の枠体である本体部８１と、本体部８１の前面を被覆する蓋部８２とを有している。蓋部８２の上部には、蓋部８２を前後方向Ｘに貫通する電線貫通孔８３が設けられている。電線貫通孔８３には、壁面の裏側から配線された電線が挿通される。蓋部８２の外周縁と本体部８１との接続部分には、全周に亘って段差部８４が設けられている。段差部８４により、ボディ７０とパッキン８０とが互いに嵌合する。
【００２４】
以上説明したボディ７０及び防水パッキン８０の双方は、ねじ部材ＳＣ１によって、壁面の裏側に配置された取付枠９０に固定されている。
化粧カバー１００は、ボディ７０の保持部７２を前方及び側方から被覆する周壁部１０１と、周壁部１０１の上部を被覆する上壁１０２とを有している。周壁部１０１と上壁１０２とにより、化粧カバー１００は下方に開口するように形成されている。
【００２５】
次に、コンセントブロック２０の構造について説明する。
図３に示すように、コンセントブロック２０は、ボディ７０（図２参照）に保持される筐体であるコンセントボディ２１、コンセントカバー２２及び受口カバー２３を有している。コンセントボディ２１、コンセントカバー２２及び受口カバー２３は、樹脂材料を射出成形することにより成形されている。コンセントボディ２１とコンセントカバー２２と受口カバー２３とによって形成される内部空間には、３個の端子板３５と、４個の錠ばね３６と、２個の解除釦３７とが収納されている。
【００２６】
コンセントボディ２１及びコンセントカバー２２には、受口カバー２３を嵌合することにより固定する固定部２１ａ，２２ａが設けられている。
コンセントボディ２１の底壁２１ｂには、底壁２１ｂを前後方向Ｘに貫通するとともに、コンセントボディ２１及びコンセントカバー２２によって形成される内部空間に連通する電線挿通孔２１ｃが設けられている。電線挿通孔２１ｃには電線が挿入される。底壁２１ｂには、底壁２１ｂを前後方向Ｘに貫通するとともに、解除釦３７を操作するための操作孔２１ｄが設けられている。
【００２７】
受口カバー２３は、上下方向Ｚの平面視において略四角形状に形成された本体部２４を有している。本体部２４の下面２４Ａには、上下方向Ｚの平面視において円形に形成され、下面２４Ａから上方に向かって凹む凹部２５が設けられている。凹部２５には、プラグボディ２００の先端部が挿入可能である。凹部２５の底面２５Ａには、差込口２６が設けられている。すなわち、凹部２５の底面２５Ａは、コンセントＡ１のうち差込口２６が形成された差込面となる。
【００２８】
図１（ｂ）に示すように、凹部２５の内壁と下面２４Ａとの間の角部２５Ｂ（つまり、凹部２５の開口縁部）は、全周に亘って面取りされた形状をなしている。このため、角部２５Ｂにおける凹部２５の開口径は、凹部２５の底面２５Ａ側から下面２４Ａに向かうに連れて拡径されている。角部２５Ｂは、Ｃ面取り加工が施されている。
【００２９】
図４（ａ）に示すように、差込口２６は、上下方向Ｚの平面視において左右方向Ｙが長手の長方形状となる電源用挿入孔２６Ａと、Ｌ字状の電源用挿入孔２６Ｂと、略丸形となる接地用挿入孔２６Ｃとを有している。電源用挿入孔２６Ａ，２６Ｂは、左右方向Ｙに隣接して配列されている。接地用挿入孔２６Ｃは、電源用挿入孔２６Ａ，２６Ｂの左右方向Ｙの間であって、且つ電源用挿入孔２６Ａ，２６Ｂよりも後方に設けられている。電源用挿入孔２６Ａには平板形の電源用栓刃２０１（図９参照）が挿脱可能に挿入され、電源用挿入孔２６ＢにはＬ字形の電源用栓刃２０２（図９参照）が挿脱可能に挿入される。接地用挿入孔２６Ｃには、丸ピン形状の接地用栓刃２０３（図９参照）が挿脱可能に挿入される。
【００３０】
図４（ｂ）に示すように、受口カバー２３の本体部２４の上面には、固定部２１ａ，２２ａ（図３参照）に嵌合する周壁面２７が設けられている。周壁面２７により囲まれた内部空間には、電源用挿入孔２６Ａを取り囲む隔壁２８と、電源用挿入孔２６Ｂを取り囲む隔壁２９と、接地用挿入孔２６Ｃを取り囲む隔壁３０とが設けられている。隔壁３０によって凹部３０Ｘが形成されている。凹部３０Ｘ内には、接地用挿入孔２６Ｃよりも後方の位置に、接地用挿入孔２６Ｃよりも後方に設けられた隔壁３０から接地用挿入孔２６Ｃに向かって突出するリブ３１が設けられている。
【００３１】
図３に示した端子板３５は、左右方向Ｙに隣接して配列された一対の電源端子板３５Ａ，３５Ｂと、電源端子板３５Ａ，３５Ｂの左右方向Ｙの間であって、且つ、電源端子板３５Ａ，３５Ｂよりも後方に配置された１個の接地端子板３５Ｃとを有している。
【００３２】
各電源端子板３５Ａ，３５Ｂは、上下方向Ｚ及び左右方向Ｙに沿う平板状の基部４０と、基部４０から下方に向かって延びる電源用刃受部４１とを有している。また、各電源端子板３５Ａ，３５Ｂは、基部４０の下端部から後方に延びる錠ばね接触部４２と、基部４０の上端部から後方に延びる電線接触部４３とを有している。
【００３３】
接地端子板３５Ｃは、上下方向Ｚ及び左右方向Ｙに沿う平板状の基部５０と、基部５０から下方に向かって延びる接地用刃受部５１と、基部５０の下端部から後方に延びる錠ばね接触部５２と、基部５０の上端部から後方に延びる電線接触部５３とを有している。接地端子板３５Ｃには、錠ばね接触部５２及び電線接触部５３が左右方向Ｙに離間して２つずつ設けられている。
【００３４】
錠ばね３６は、各錠ばね接触部４２，５２と各電線接触部４３，５３との上下方向Ｚの間に収納されている。錠ばね３６には、コンセントボディ２１の電線挿通孔２１ｃから挿通される電線が接触される。この電線は錠ばね３６により電線接触部４３，５３に向かって押圧される。これにより、電源端子板３５Ａ，３５Ｂ及び接地端子板３５Ｃと電線とが電気的に接続される。
【００３５】
解除釦３７は、左右方向Ｙに配列された錠ばね３６の間に配置されている。解除釦３７は、コンセントブロック２０から電線を解除する際に、操作孔２１ｄを通じて操作される。
【００３６】
次に、図５を参照して、電源端子板３５Ａ，３５Ｂの電源用刃受部４１の構造について説明する。なお、電源端子板３５Ｂの電源用刃受部４１は、図５に示す電源端子板３５Ａの電源用刃受部４１の構造と同様の構造を有しているため、ここでは詳細な説明を省略する。
【００３７】
電源端子板３５Ａの電源用刃受部４１は、コンセントボディ２１の内壁に設けられた隔壁２１ｅと、コンセントカバー２２の内壁に設けられた隔壁２２ｂと、受口カバー２３に設けられた隔壁２８とによって形成される収納室Ｓ１内に配置されている。電源用刃受部４１は、長方形状の電源用挿入孔２６Ａと対応する位置に配置されている。電源用挿入孔２６Ａは、収納室Ｓ１と連通されている。そして、電源用刃受部４１は、電源用挿入孔２６Ａを通じて挿入される平板形の電源用栓刃２０１を弾性力で保持して、電源用栓刃２０１と導通する。
【００３８】
以下の説明では、コンセントＡ１に対して電源用栓刃２０１，２０２及び接地用栓刃２０３が挿入される方向を「挿入方向Ｖ」とする。挿入方向Ｖにおいて、電源用栓刃２０１，２０２及び接地用栓刃２０３が挿入開始される差込口２６側を「上流」とし、コンセントＡ１内部側を「下流」とする。また、電源用栓刃２０１が電源用刃受部４１に保持されたときの電源用栓刃２０１の中心軸と一致する軸を挿入軸ＣＡとする。なお、挿入軸ＣＡは、電源用挿入孔２６Ａの上下方向Ｚの平面視における中心を通って挿入方向Ｖに沿って延びる仮想線と一致する。
【００３９】
電源用刃受部４１は、互いに対向して弾性的に電源用栓刃２０１を挟持する一対の挟持板４４と、一対の挟持板４４の基端部（つまり、挿入方向Ｖ下流側の端部）同士を連結する連結部４６とを有している。電源用刃受部４１は、ばね性を有する導電性の板材で形成されている。
【００４０】
一対の挟持板４４は、大略すると、挿入方向Ｖの下流から上流に向かって、互いに接近した後、再度離反するように形成されている。具体的には、各挟持板４４は、連結部４６と接続された基部４４ａと、基部４４ａから挿入軸ＣＡに向かって屈曲された屈曲部４４ｂ，４４ｃと、屈曲部４４ｃから挿入軸ＣＡと離間する方向に向かって屈曲された案内部４４ｄとを有している。
【００４１】
基部４４ａは、連結部４６から挿入方向Ｖに沿って下方に延びるように形成されている。一対の基部４４ａは、互いに略平行に対向して配置されている。基部４４ａは、連結部４６から立ち上がって、電源用栓刃２０１を挟持する挟持板４４の付勢力を発生する。連結部４６は、両挟持板４４を構造的に接続し、両挟持板４４の基端部の間隔を一定に保って固定点を形成し、付勢力発生に寄与する。
【００４２】
一対の屈曲部４４ｂは、基部４４ａの先端部から挿入方向Ｖの上流側に向かうにつれて互いに近づく方向に屈曲している。一対の屈曲部４４ｃは、屈曲部４４ｂの先端部から挿入方向Ｖの上流に向かうにつれて互いに近づく方向に屈曲している。屈曲部４４ｂは、挿入方向Ｖに対する傾斜角度が屈曲部４４ｃよりも大きくなるように形成されている。一対の屈曲部４４ｃの先端部は、電源用栓刃２０１の本体部２０１ａの板厚よりも狭い間隔で対向している。
【００４３】
一対の案内部４４ｄは、電源用栓刃２０１の挿入を案内するように、挿入方向Ｖの下流から上流に向かうにつれて互いに離れる方向に屈曲している。各案内部４４ｄの先端部は自由端になっている。一対の案内部４４ｄは、電源用挿入孔２６Ａを通じて挿入される電源用栓刃２０１とはじめに接触する電源接触部となる。
【００４４】
そして、電源用刃受部４１では、一対の挟持板４４の間隔が最も狭くなる部分（つまり、屈曲部４４ｃと案内部４４ｄとの接続部分）が、電源用栓刃２０１と弾接して導通する電源保持部４７となる。すなわち、一対の挟持板４４には、互いに接近する方向にく字状に屈曲させた電源保持部４７が設けられている。
【００４５】
次に、図５及び図６を参照して、接地用刃受部５１の構造について説明する。
接地用刃受部５１は、コンセントボディ２１の内壁に設けられた隔壁２１ｆと、受口カバー２３に設けられた凹部３０Ｘとによって形成される収納室Ｓ２に配置されている。接地用刃受部５１は、略丸形の接地用挿入孔２６Ｃと対応する位置に配置されている。接地用挿入孔２６Ｃは、収納室Ｓ２と連通されている。そして、接地用刃受部５１は、接地用挿入孔２６Ｃを通じて挿入される丸ピン形状の接地用栓刃２０３を弾性力で保持して、接地用栓刃２０３と導通する。
【００４６】
以下の説明では、接地用栓刃２０３が接地用刃受部５１に保持されたときの接地用栓刃２０３の中心軸と一致する軸を挿入軸ＣＢとする。なお、挿入軸ＣＢは、接地用挿入孔２６Ｃの上下方向Ｚの平面視における中心を通って挿入方向Ｖに沿って延びる仮想線と一致する。
【００４７】
接地用刃受部５１は、互いに対向して弾性的に接地用栓刃２０３を挟持する一対の接地片５４，５５と、接地片５４の基端部と接地片５５の基端部を連結する連結部５６とを有している。接地用刃受部５１は、ばね性を有する導電性の板材で形成されている。ここで、接地片５４，５５の基端部とは反対側（つまり、挿入方向Ｖ上流側）の端部（先端部）は自由端になっている。
【００４８】
接地片５５の基端部から先端部までの長さ（全長）は、接地片５４の基端部から先端部までの長さ（全長）よりも短い。具体的には、接地片５５の全長は、電源用栓刃２０１と接地用栓刃２０３との突出量の差分である距離Ｌ１分だけ接地片５４よりも短い。
【００４９】
接地片５４は、連結部５６と接続された基部５４ａと、基部５４ａから挿入軸ＣＢに向かって屈曲された屈曲部５４ｂ，５４ｃと、屈曲部５４ｃから挿入軸ＣＢと離間する方向に向かって屈曲された案内部５４ｄとを有している。
【００５０】
接地片５５は、連結部５６と接続された基部５５ａと、基部５５ａから挿入軸ＣＢに向かって屈曲された屈曲部５５ｂと、屈曲部５５ｂから挿入軸ＣＢと離間する方向に向かって屈曲された案内部５５ｃとを有している。
【００５１】
基部５４ａ，５５ａは、連結部５６から挿入方向Ｖに沿って下方に延びるように形成されている。一対の基部５４ａ，５５ａは、互いに略平行に対向して配置されている。基部５４ａ，５５ａは、連結部５６から立ち上がって、接地用栓刃２０３を挟持する一対の接地片５４，５５の付勢力を発生する。連結部５６は、両接地片５４，５５を構造的に接続し、両接地片５４，５５の基端部の間隔を一定に保って固定点を形成し、付勢力発生に寄与する。
【００５２】
屈曲部５４ｂは、基部５４ａの先端部から挿入方向Ｖの上流側に向かうにつれて接地片５５に近づくように屈曲されている。屈曲部５４ｃは、屈曲部５４ｂの先端部から挿入方向Ｖの上流側に向かうにつれて接地片５５に近づくように屈曲されている。屈曲部５４ｂは、挿入方向Ｖに対する傾斜角度が屈曲部５４ｃよりも大きくなるように形成されている。
【００５３】
案内部５４ｄは、屈曲部５４ｃの先端部から挿入方向Ｖの上流側に向かうにつれて、接地片５５（挿入軸ＣＢ）と離間するように屈曲されている。このため、屈曲部５４ｃと案内部５４ｄとの接続部５７は、挿入軸ＣＢに接近する方向にく字状に屈曲されている。接続部５７は、接地片５４のうち最も挿入軸ＣＢに接近している部分である。そして、接地用刃受部５１では、接続部５７及び案内部５４ｄが、接地用挿入孔２６Ｃを通じて挿入される接地用栓刃２０３がはじめに接触される接地接触部となる。
【００５４】
本実施形態では、接地用刃受部５１の接続部５７と電源用刃受部４１の電源保持部４７とが、挿入軸ＣＡ，ＣＢと直交する同一平面上に配置されている。すなわち、底面２５Ａから接続部５７までの挿入方向Ｖに沿う長さは、底面２５Ａから電源保持部４７までの挿入方向Ｖに沿う長さと等しくなる。また、案内部５４ｄの先端部と案内部４４ｄの先端部とは、挿入軸ＣＡ，ＣＢと直交する同一平面上に配置されている。
【００５５】
一方、接地片５５の屈曲部５５ｂは、基部５５ａの先端部から挿入方向Ｖの上流側に向かうにつれて接地片５４に近づくように屈曲されている。屈曲部５５ｂは、挿入方向Ｖに対する傾斜角度が屈曲部５４ｂよりも小さくなるように形成されている。案内部５５ｃは、屈曲部５５ｂの先端部から挿入方向Ｖの上流側に向かうにつれて、挿入軸ＣＢと離間するように屈曲されている。このため、屈曲部５５ｂと案内部５５ｃとの接続部５８は、接地片５４及び挿入軸ＣＢに接近する方向にく字状に屈曲されている。この接続部５８は、屈曲部５４ｃの中途部分と対向するように設けられている。接続部５８と屈曲部５４ｃとが対向する部分は、一対の接地片５４，５５の間隔が最も狭くなる部分であり、接地用栓刃２０３の本体部２０３ａの直径よりも狭い間隔で対向している。そして、接地用刃受部５１では、接続部５８と屈曲部５４ｃとが対向する部分が、接地用栓刃２０３と弾接して導通する接地保持部５９となる。接地保持部５９は、接地用栓刃２０３と電源用栓刃２０１との突出量の差分である距離Ｌ１以上の距離Ｌ２だけ電源保持部４７よりも挿入方向Ｖの下流側に設けられている。本実施形態では、距離Ｌ２が距離Ｌ１よりも長い距離に設定されている。
【００５６】
接地保持部５９において、接地片５５の基端部から接続部５８までの接地片５４に向かう突出量Ｌ３は、接地片５４の基端部から屈曲部５４ｃまでの接地片５５に向かう突出量Ｌ４よりも小さい。具体的には、長さの異なる接地片５４及び接地片５５から接地用栓刃２０３に作用する接触圧が等しくなるように、突出量Ｌ３が突出量Ｌ４よりも小さくなるように設定されている。このため、接地保持部５９において、接続部５８から挿入軸ＣＢまでの離間距離は、屈曲部５４ｃから挿入軸ＣＢまでの離間距離よりも長くなる。なお、屈曲部５５ｂの傾斜角度、屈曲部５４ｂ，５４ｃの傾斜角度や、屈曲部５４ｂ，５４ｃの長さ等を調整することにより、突出量Ｌ３及び突出量Ｌ４を調整することができる。
【００５７】
また、挿入軸ＣＢに対する案内部５５ｃの開き角度（傾斜角度）θ１は、挿入軸ＣＢに対する案内部５４ｄの開き角度（傾斜角度）θ２と同一の角度に設定されている。換言すると、挿入方向Ｖに沿って延びる仮想線（破線参照）に対する案内部５５ｃの開き角度θ１は、上記仮想線に対する案内部５４ｄの開き角度θ２と同一の角度に設定されている。
【００５８】
図６に示すように、案内部５４ｄには、屈曲部５４ｃよりも後方に延出された延出部６０が設けられている。同様に、案内部５５ｃには、屈曲部５５ｂよりも後方に延出された延出部６１が設けられている。延出部６０，６１は、接地用挿入孔２６Ｃ（図５参照）よりも後方に配置されている。すなわち、延出部６０，６１は、上下方向Ｚの平面視において接地用挿入孔２６Ｃと重ならない位置に配置されている。
【００５９】
図７に示すように、延出部６０，６１には、受口カバー２３の凹部３０Ｘ内に形成されたリブ３１が当接されている。具体的には、リブ３１の側面３１ａは、接地用刃受部５１の内側から延出部６０の挿入方向Ｖ下流側の端部（基端部）と当接されている。また、リブ３１の側面３１ｂは、接地用刃受部５１の内側から延出部６１の挿入方向Ｖ下流側の端部（基端部）と当接されている。すなわち、凹部３０Ｘの底面から上方に延出されたリブ３１は、一対の延出部６０，６１の間に挿入され、一対の延出部６０，６１に当接されている。このリブ３１は、延出部６０，６１の基端部に当接することにより、延出部６０，６１を外側に押し広げて、挿入軸ＣＢに対する案内部５４ｄ，５５ｃの離間距離（開き量）を調整している。
【００６０】
ここで、図４（ｂ）に示すように、リブ３１では、接地用挿入孔２６Ｃの左右方向Ｙの中心及び挿入軸ＣＢを通って前後方向Ｘに沿って延びる仮想線Ｍ１から左右両側に延びる幅Ｗ１，Ｗ２が互いに異なる。具体的には、仮想線Ｍ１から側面３１ａまでの幅Ｗ１は、仮想線Ｍ１から側面３１ｂまでの幅Ｗ２よりも短い。このため、図７に示すように、リブ３１が延出部６０，６１に当接されると、挿入軸ＣＢに対する案内部５４ｄの離間距離が幅Ｗ１に調整され、挿入軸ＣＢに対する案内部５５ｃの離間距離が幅Ｗ２に調整される。したがって、リブ３１が延出部６０，６１に当接されると、挿入軸ＣＢに対する案内部５４ｄの離間距離が、挿入軸ＣＢに対する案内部５５ｃの離間距離よりも短くなるように調整される。換言すると、リブ３１は、延出部６０，６１に当接することにより、挿入軸ＣＢに対する案内部５４ｄの離間距離が、挿入軸ＣＢに対する案内部５５ｃの離間距離よりも短くなるように調整している。
【００６１】
図８に示すように、以上説明したコンセントブロック２０は、ボディ７０の保持部７２に収容されるとともに保持されている。このとき、凹部２５は、下方に向かって開口するとともに、後方に傾斜するに従って下方に傾斜するように配置されている。これにより、凹部２５の底面２５Ａ及び差込口２６は、下方に向かって露出されている。
【００６２】
次に、扉開閉機構１１の構造について説明する。
図２に示すように、扉開閉機構１１は、開閉動作を行う扉体１１０と、扉体１１０に取り付けられたシャフト１２０と、シャフト１２０を収納するとともに保持する軸ボディ１２１とを有している。軸ボディ１２１は、ねじ部材ＳＣ２によりボディ７０に取り付けられている。シャフト１２０には、扉体１１０を差込口２６（図８参照）に向かって付勢する付勢手段であるつるまきばね（ばね）１２２が取り付けられている。
【００６３】
扉体１１０は、平板状に形成される基部１１１を有している。基部１１１の上面の中央部には、下方に向かって凹む凹部１１２が設けられている。凹部１１２の前後方向Ｘの中央部には、凹部１１２の底面から上方に突出する突起部１１３が設けられている。凹部１１２において、突起部１１３よりも前方側の領域が規制部１１４となり、突起部１１３よりも後方側の領域が固定部１１５となる。
【００６４】
扉開閉機構１１は、軸ボディ１２１に設けられた挿通孔１２１ａにシャフト１２０を挿入し、シャフト１２０の挿通孔１２１ａよりも左右方向Ｙの両側にばね１２２を取り付けた状態で、ばね１２２よりも左右方向Ｙの両側のシャフト１２０に扉体１１０を取り付ける。これにより、シャフト１２０を回転軸として、扉体１１０が回転するようになる。具体的には、図８に示すように、扉体１１０は、シャフト１２０を回転軸として、扉体１１０が化粧カバー１００の周壁部１０１の下端面１０３と当接した閉状態（実線参照）から下方に向かって回転可能となる。扉体１１０は、閉状態から下方に回転すると、下端面１０３から離間した開状態となる（二点鎖線参照）。なお、閉状態において、扉体１１０の基部１１１は、周壁部１０１の略全周に亘り周壁部１０１よりも前方及び左右方向Ｙに突出している。また、閉状態において、ばね１２２（図２参照）により、基部１１１は下端面１０３を常に押圧した状態にて維持されている。
【００６５】
次に、図１０〜図１２を参照して、コンセントＡ１にプラグＢ１を接続する動作について説明する。
図１０（ａ）に示すように、閉状態の扉体１１０に対して、扉体１１０の化粧カバー１００より突出した部位をプラグボディ２００の前方の端部によって引っ掛けるようにして扉体１１０を開状態となるように回転させる。なお、扉体１１０を開状態とする方法としては、使用者の指によって扉体１１０を開状態となるように回転させるようにしてもよい。
【００６６】
次に、図１０（ｂ）に示すように、電源用栓刃２０１，２０２及び接地用栓刃２０３を凹部２５の底面２５Ａに対向した位置にプラグＢ１を移動させ、電源用栓刃２０１，２０２及び接地用栓刃２０３を挿入方向Ｖに沿って受口カバー２３に向かって挿入する。
【００６７】
続いて、図１０（ｃ）に示すように、プラグＢ１を挿入方向Ｖに沿って更に挿入すると、プラグＢ１の突起部２０６が扉体１１０の規制部１１４に収納される。このとき、接地用栓刃２０３の先端が接地用挿入孔２６Ｃに挿入される一方で、電源用栓刃２０１，２０２が電源用挿入孔２６Ａ，２６Ｂよりも挿入方向Ｖの上流側に位置している。
【００６８】
次いで、図１１（ａ）に示すように、プラグＢ１を挿入方向Ｖに沿って更に挿入すると、接地用栓刃２０３の先端部２０３ｂが接地用刃受部５１の案内部５４ｄに接触する。このとき、電源用栓刃２０１の先端部が電源用挿入孔２６Ａに挿入されている。但し、電源用栓刃２０１は、電源用刃受部４１に未だ接触していない。すなわち、電源用栓刃２０１が電源用刃受部４１に接触する前に、接地用栓刃２０３が接地用刃受部５１に接触する。
【００６９】
次に、図１１（ｂ）に示すように、プラグＢ１を挿入方向Ｖに沿って更に挿入すると、電源用栓刃２０１の先端部２０１ｂが電源用刃受部４１の案内部４４ｄに接触する。このとき、電源用栓刃２０１と電源用刃受部４１との接触は点接触であり、電源用栓刃２０１は電源用刃受部４１によって未だ保持されていない。また、このときの接地用栓刃２０３は、接地片５４に接触しているものの、接地用刃受部５１によって未だ保持されていない。すなわち、電源用栓刃２０１と電源用刃受部４１とが点接触する場合には、電源用栓刃２０１及び接地用栓刃２０３が共に電源用刃受部４１及び接地用刃受部５１に保持されていない。このため、図１１（ｂ）に示した状態において、使用者がプラグＢ１から手を離したときには、プラグＢ１がコンセントＡ１に保持されることなく、プラグＢ１がコンセントＡ１から脱離される。これにより、電源用栓刃２０１と電源用刃受部４１とが点接触した状態で、プラグＢ１がコンセントＡ１に保持されることを抑制することができる。さらに、このとき、図１に示したように、プラグＢ１の先端部が挿入される凹部２５の開口縁部である角部２５Ｂを面取り形状としたため、プラグボディ２００の先端部が角部２５Ｂに引っ掛かることを抑制することができる。
【００７０】
詳述すると、プラグＢ１がコンセントＡ１から脱離する際に、ケーブル２０４等の張力や扉体１１０からの押圧力等によってプラグボディ２００の軸方向が挿入方向Ｖから傾斜する場合がある。このとき、角部２５Ｂが面取りされていない場合には、プラグボディ２００の先端部が角部２５Ｂに引っ掛かり、電源用栓刃２０１と電源用刃受部４１とが点接触している状態でプラグＢ１がコンセントＡ１に保持されてしまうおそれがある。これに対し、本実施形態では、プラグボディ２００の軸方向が挿入方向Ｖから傾斜した場合であっても、角部２５Ｂを面取り形状としたことにより、プラグボディ２００の先端部が角部２５Ｂに引っ掛かることを好適に抑制することができる。このため、電源用栓刃２０１と電源用刃受部４１とが点接触している状態で、プラグＢ１がコンセントＡ１に保持されることを好適に抑制することができる。
【００７１】
続いて、図１１（ｃ）に示すように、プラグＢ１を挿入方向に沿って更に挿入すると、電源用栓刃２０１の本体部２０１ａが、電源用刃受部４１の電源保持部４７よりも挿入方向Ｖの下流側に挿入される。このとき、電源用栓刃２０１は、一対の挟持板４４のばねによる付勢力に抗して電源用刃受部４１内に挿入される。電源用栓刃２０１の挿入により、互いに接近する方向にく字状に屈曲させた電源保持部４７における間隔が広げられて一対の挟持板４４が外側に移動するように変形する。このとき、電源用栓刃２０１には、一対の挟持板４４の変形に基づく付勢力が電源用刃受部４１からの接触圧として作用する。これにより、電源用刃受部４１による電源用栓刃２０１の保持が開始される。一方、本例では、電源用栓刃２０１の保持が開始された時点では、接地用栓刃２０３が接地用刃受部５１によって未だ保持されていない。具体的には、電源用栓刃２０１の保持が開始された時点では、接地用栓刃２０３は、その先端部２０３ｂが接地保持部５９よりも挿入方向Ｖの下流側まで挿入されているが、接地保持部５９が弾接される本体部２０３ａが接地保持部５９まで挿入されていない。
【００７２】
次いで、図１１（ｄ）に示すように、プラグＢ１を挿入方向Ｖに沿って更に挿入すると、接地用栓刃２０３の本体部２０３ａが、接地用刃受部５１の接地保持部５９よりも挿入方向Ｖの下流側に挿入される。このとき、接地用栓刃２０３は、一対の接地片５４，５５のばねによる付勢力に抗して接地用刃受部５１内に挿入される。接地用栓刃２０３の挿入により、接地保持部５９における間隔が広げられて一対の接地片５４，５５が外側に移動するように変形する。このとき、接地用栓刃２０３には、一対の接地片５４，５５の変形に基づく付勢力が接地用刃受部５１からの接触圧として作用する。これにより、接地用刃受部５１による接地用栓刃２０３の保持が開始される。このように本例では、電源用栓刃２０１が電源用刃受部４１に保持された後に、接地用栓刃２０３が接地用刃受部５１に保持される。
【００７３】
次に、図１２に示すように、プラグＢ１を挿入方向Ｖに沿って更に挿入すると、プラグボディ２００の先端面２００Ａが凹部２５の底面２５Ａに当接される。このとき、プラグボディ２００の突起部２０６が扉体１１０の固定部１１５に収納される。これにより、コンセントＡ１へのプラグＢ１の接続が完了する。
【００７４】
次に、本実施形態の効果を記載する。
（１）接地用刃受部５１の案内部５４ｄの基端部と、電源用刃受部４１の案内部４４ｄの基端部とを、挿入軸ＣＡ，ＣＢと直交する同一平面上に配置するようにした。また、接地保持部５９を、接地用栓刃２０３と電源用栓刃２０１，２０２との突出量の差分である距離Ｌ１よりも長い距離Ｌ２だけ電源保持部４７よりも挿入方向Ｖの下流側に設けるようにした。これにより、コンセントＡ１にプラグＢ１を挿入する際に、電源用栓刃２０１，２０２が電源用刃受部４１に接触される前に、接地用栓刃２０３を接地用刃受部５１に接触させることができる。また、電源用刃受部４１による電源用栓刃２０１，２０２の保持が開始された後に、接地用刃受部５１による接地用栓刃２０３の保持を開始させることができる。したがって、電源用刃受部４１によって電源用栓刃２０１，２０２が保持されていない状態では、接地用栓刃２０３も接地用刃受部５１によって保持されない。このため、電源用栓刃２０１，２０２と電源用刃受部４１とが点接触の状態で、プラグＢ１がコンセントＡ１に保持されることを好適に抑制することができる。この結果、コンセントＡ１とプラグＢ１との間で高熱が発生することを好適に抑制することができる。
【００７５】
（２）接地片５５の全長を接地片５４の全長よりも短くした。これにより、接地片５５の全長と接地片５４の全長とが同一である場合に比べて、コンセントＡ１の材料費を低減することができる。
【００７６】
（３）また、接地片５５の全長と接地片５４の全長とが同一である場合に比べて、案内部５５ｃを短くすることができる。これにより、案内部５５ｃの開き角度θ１を大きく設定した場合であっても、接地用刃受部５１の左右方向Ｙへの広がりを好適に抑制することができる。
【００７７】
（４）さらに、案内部５５ｃの開き角度θ１を大きくすることにより、挿入方向Ｖの下流から上流に向かって移動する接地用栓刃２０３に対する反発力を大きくすることができる。これにより、接地用栓刃２０３の脱離を好適に抑制することができる。
【００７８】
（５）長さの異なる接地片５４及び接地片５５から接地用栓刃２０３に作用する接触圧が等しくなるように、突出量Ｌ３が突出量Ｌ４よりも小さくなるように設定した。これにより、一対の接地片５４，５５によって接地用栓刃２０３を安定して保持することができる。
【００７９】
（６）延出部６０，６１に当接して、挿入軸ＣＢに対する案内部５４ｄの離間距離が、挿入軸ＣＢに対する案内部５５ｃの離間距離よりも短くなるように調整するリブ３１を設けるようにした。これにより、案内部５４ｄを挿入軸ＣＢに近づけることができるため、接地片５４，５５の片側の案内部５４ｄのみで接地用栓刃２０３の挿入を案内する場合であっても、その接地用栓刃２０３を案内部５４ｄに好適に接触させることができる。
【００８０】
（７）凹部２５の内壁と受口カバー２３の下面２４Ａとの角部２５Ｂを面取り形状とした。これにより、電源用栓刃２０１と電源用刃受部４１とが点接触している状態で、プラグＢ１がコンセントＡ１に保持されることを好適に抑制できる。
【００８１】
なお、上記実施形態は、以下のように変更してもよい。
・図１３に示すように、接地用刃受部５１の構造を変更してもよい。図１３に示した接地用刃受部５１は、互いに対向して弾性力で接地用栓刃２０３を挟持する一対の接地片５４，６５と、接地片５４の基端部と接地片６５の基端部を連結する連結部５６とを有している。接地片６５の全長は、接地片５４の全長と略同じである。なお、上記実施形態と同様に、接地片５４の接続部５７と電源保持部４７（図５参照）とが、挿入軸ＣＢと直交する同一平面上に配置されている。
【００８２】
接地片６５は、連結部５６と接続された基部６５ａと、基部６５ａから接地片５４に向かって屈曲された屈曲部６５ｂ，６５ｃと、屈曲部６５ｃから接地片５４と離間する方向に向かって屈曲された案内部６５ｄとを有している。
【００８３】
屈曲部６５ｂは、基部６５ａの先端部から挿入方向Ｖの上流側に向かうにつれて接地片５４に近づくように屈曲されている。屈曲部６５ｃは、屈曲部６５ｂの先端部から挿入方向Ｖの上流側に向かうにつれて接地片５４に近づくように屈曲されている。屈曲部６５ｂは、挿入方向Ｖに対する傾斜角度が屈曲部６５ｃよりも大きくなるように形成されている。案内部６５ｄは、屈曲部６５ｃの先端部から挿入方向Ｖの上流側に向かうにつれて、接地片５４から離間するように屈曲されている。このため、屈曲部６５ｃと案内部６５ｄとの接続部６６は、接地片５４及び挿入軸ＣＢに接近する方向にく字状に屈曲されている。接続部６６は、屈曲部５４ｃの中途部分と対向するように設けられている。接続部６６と屈曲部５４ｃとが対向する部分は、一対の接地片５４，６５の間隔が最も狭くなる部分であり、接地用栓刃２０３の本体部２０３ａ（図５参照）の直径よりも狭い間隔で対向している。そして、接地用刃受部５１では、接続部６６と屈曲部５４ｃとが対向する部分が、接地用栓刃２０３と弾接して導通する接地保持部６７となる。接地保持部６７は、接地用栓刃２０３と電源用栓刃２０１との突出量の差分である距離Ｌ１以上の距離Ｌ２だけ接続部５７よりも挿入方向Ｖの下流側に設けられている。このため、接地保持部６７は、電源保持部４７（図５参照）から挿入方向Ｖの下流側に距離Ｌ１以上離れた位置に設けられている。
【００８４】
本例では、挿入方向Ｖに沿って延びる仮想線（破線参照）に対する案内部６５ｄの開き角度θ３を、案内部５４ｄの開き角度θ２よりも小さくなるように設定した。これにより、接地用刃受部５１の左右方向Ｙへの広がりを好適に抑制することができる。
【００８５】
以上説明した接地用刃受部５１を採用した場合であっても、上記実施形態の（１）の効果と同様の効果を得ることができる。さらに、互いに対向する一対の案内部５４ｄ，６５ｄにより接地用栓刃２０３を案内するため、接地用栓刃２０３を接地保持部６７まで案内する際に、一対の案内部５４ｄ，６５ｄに接地用栓刃２０３を好適に接触させることができる。
【００８６】
・上記実施形態では、案内部５４ｄを、屈曲部５４ｃの先端部から挿入軸ＣＢと離間する方向に屈曲させるようにした。これに限らず、例えば、案内部５４ｄを、屈曲部５４ｃの先端部から挿入方向Ｖに沿った方向に延びるように屈曲させるようにしてもよい。
【００８７】
・上記実施形態では、接地接触部となる案内部５５ｃと電源接触部となる案内部４４ｄとを、挿入軸ＣＡ，ＣＢと直交する同一平面上に配置した。これに限らず、例えば、案内部５５ｃを、案内部４４ｄよりも挿入方向Ｖの上流側に設けるようにしてもよい。また、案内部５５ｃを、案内部４４ｄよりも挿入方向Ｖの下流側に設けるようにしてもよい。但し、この場合には、電源用栓刃２０１，２０２が案内部４４ｄに接触される前に、接地用栓刃２０３を案内部５５ｃに接触させるために、案内部５５ｃと案内部４４ｄとの間の挿入方向Ｖに沿う離間距離を距離Ｌ１未満に設定する必要がある。
【００８８】
・上記実施形態では、電源用栓刃２０１，２０２が電源用刃受部４１に保持された後に、接地用栓刃２０３が接地用刃受部５１に保持されるように、距離Ｌ２を距離Ｌ１よりも長い距離に設定した。これに限らず、例えば、距離Ｌ２を距離Ｌ１と同じ距離に設定し、電源用刃受部４１による電源用栓刃２０１，２０２の保持開始と略同時に、接地用刃受部５１による接地用刃受部５１の保持が開始されるようにしてもよい。
【００８９】
・上記実施形態では、一対の接地片５４，５５により接地用栓刃２０３を保持するようにしたが、接地片の個数は特に限定されない。例えば、３個以上の接地片により接地用栓刃２０３を保持するようにしてもよい。また、１つの筒状の刃受構造により接地用栓刃２０３を保持するようにしてもよい。
【００９０】
・上記実施形態における角部２５Ｂに、Ｒ面取り加工を施すようにしてもよい。
・上記実施形態における角部２５Ｂに対する面取り加工を省略してもよい。
・上記実施形態では、コンセントＡ１を屋外に設けられたコンセントに適用したが、コンセントＡ１を屋内のコンセントに適用してもよい。
【００９１】
・上記実施形態並びに上記各変形例は適宜組み合わせてもよい。
次に、上記実施形態及び別例から把握できる技術的思想を以下に追記する。
（付記１）
プラグボディの先端面から突出した一対の電源用栓刃と、前記先端面から突出して前記電源用栓刃よりも所定距離だけ突出した接地用栓刃とを有するプラグが接続されるコンセントであって、
前記一対の電源用栓刃をそれぞれ保持する一対の電源用刃受部と、
前記接地用栓刃を保持する接地用刃受部と、を有し、
前記各電源用刃受部は、前記電源用栓刃を弾性力で保持して導通する電源保持部と、前記電源保持部よりも前記電源用栓刃及び前記接地用栓刃の挿入方向の上流側に設けられ、前記電源用栓刃と接触する電源接触部とを有し、
前記接地用刃受部は、前記接地用栓刃を弾性力で保持して導通する接地保持部と、前記接地保持部よりも前記挿入方向の上流側に設けられ、前記接地用栓刃と接触する接地接触部とを有し、
前記接地接触部は、前記電源接触部から前記挿入方向の下流側に前記所定距離未満だけ離間した位置よりも、前記挿入方向の上流側の位置に設けられ、
前記接地保持部は、前記電源保持部から前記挿入方向の下流側に前記所定距離以上離間した位置に設けられていることを特徴とするコンセント。
【００９２】
（付記２）
付記１に記載のコンセントにおいて、
前記接地用刃受部は、互いに対向して前記接地用栓刃を挟持する第１接地片及び第２接地片と、前記第１接地片の基端部と前記第２接地片の基端部とを連結する連結部とを有し、
前記第１接地片は、前記連結部に接続された第１基部と、前記第１基部から前記第２接地片に向かって屈曲する第１屈曲部と、前記第１屈曲部から前記第２接地片と離間する方向に向かって屈曲する前記接地接触部と、を有し、
前記第２接地片は、前記連結部に接続された第２基部と、前記第２基部から前記第１接地片に向かって屈曲する第２屈曲部と、前記第２屈曲部から前記第１接地片と離間する方向に向かって屈曲する案内部と、を有し、
前記第２屈曲部と前記案内部との接続部と、該接続部と対向する前記第１屈曲部とが前記接地保持部であり、
前記接地保持部は、前記第１屈曲部と前記接地接触部との接続部から前記挿入方向の下流側に前記所定距離以上離間した位置に設けられていることを特徴とするコンセント。
【００９３】
（付記３）
付記２に記載のコンセントにおいて、
前記第２接地片の全長は、前記第１接地片の全長よりも前記所定距離以上短いことを特徴とするコンセント。
【００９４】
（付記４）
付記３に記載のコンセントにおいて、
前記第２接地片の基端部から前記第１屈曲部の先端部までの前記第１接地片に向かう第１突出量は、前記第１接地片の基端部から前記第１接地片における前記接地保持部までの前記第２接地片に向かう第２突出量よりも小さいことを特徴とするコンセント。
【００９５】
（付記５）
付記４に記載のコンセントにおいて、
前記第１接地片から前記接地用栓刃に作用する接触圧と前記第２接地片から前記接地用栓刃に作用する接触圧とが等しくなるように、前記第１突出量が前記第２突出量よりも小さく設定されていることを特徴とするコンセント。
【００９６】
（付記６）
付記３〜５のいずれか一項に記載のコンセントにおいて、
前記挿入方向に沿って延びる線に対する前記案内部の開き角度は、前記線に対する前記接地接触部の開き角度と同一の角度であることを特徴とするコンセント。
【００９７】
（付記７）
付記２に記載のコンセントにおいて、
前記第２接地片の全長は、前記第１接地片の全長と同一であり、
前記挿入方向に沿って延びる線に対する前記案内部の開き角度は、前記線に対する前記接地接触部の開き角度よりも小さいことを特徴とするコンセント。
【００９８】
（付記８）
付記１〜６のいずれか一項に記載のコンセントにおいて、
前記接地用刃受部が収納される収納室が形成されたコンセント本体を有し、
前記収納室には、前記案内部と前記接地接触部との間に挿通し、前記案内部の一部及び前記接地接触部の一部に当接して、前記接地用栓刃の挿入軸に対する前記接地接触部の離間距離が、前記挿入軸に対する前記案内部の離間距離よりも短くなるように調整するリブが形成されていることを特徴とするコンセント。
【００９９】
（付記９）
付記１〜８のいずれか一項に記載のコンセントにおいて、
前記プラグボディの先端部が挿入可能な凹部が下面に形成されたコンセント本体を有し、
前記凹部の内壁と前記コンセント本体の下面との角部が面取りされていることを特徴とするコンセント。
【符号の説明】
【０１００】
Ａ１…コンセント、Ｂ１…プラグ、１０…コンセント本体、２０…コンセントブロック（コンセント本体）、２５…凹部、２５Ｂ…角部、３１…リブ、４１…電源用刃受部、４４ｄ…案内部（電源接触部）、４７…電源保持部、５１…接地用刃受部、５４…接地片（第１接地片）、５４ａ…基部（第１基部）、５４ｂ，５４ｃ…屈曲部（第１屈曲部）、５４ｄ…案内部（接地接触部）、５５…接地片（第２接地片）、５５ａ，６５ａ…基部（第２基部）、５５ｂ，６５ｂ，６５ｃ…屈曲部（第２屈曲部）、５５ｃ，６５ｄ…案内部、５６…連結部、５７，５８…接続部、５９，６７…接地保持部、２００…プラグボディ、２０１，２０２…電源用栓刃、２０３…接地用栓刃、Ｓ２…収納室。
【図１】
0006455712.tif 000002
【図２】
0006455712.tif 000003
【図３】
0006455712.tif 000004
【図４】
0006455712.tif 000005
【図５】
0006455712.tif 000006
【図６】
0006455712.tif 000007
【図７】
0006455712.tif 000008
【図８】
0006455712.tif 000009
【図９】
0006455712.tif 000010
【図１０】
0006455712.tif 000011
【図１１】
0006455712.tif 000012
【図１２】
0006455712.tif 000013
【図１３】
0006455712.tif 000014
【図１４】
0006455712.tif 000015